(57)【要約】【課題】放電部側と水供給部側とを完全に電気的に縁をきることができ、また、機器組み込み設計の自由度が可能で機器の小型化が可能となる。【解決手段】放電部１と、放電部１側に水を供給するための水供給部２と、放電部１に供給された水に高電圧を印加するための高電圧印加手段３とを備えて、高電圧を印加することで放電部１に供給された水を静電霧化する静電霧化装置Ａである。放電部１側に水供給部２側から供給される水を受け取る水受け取り部５を設ける。水供給部２と水受け取り部５とを空間６を介して非接触とした。【選択図】図１
2009090192.tif 000002
【特許請求の範囲】
【請求項１】
放電部と、放電部側に水を供給するための水供給部と、放電部に供給された水に高電圧を印加するための高電圧印加手段とを備えて、高電圧を印加することで放電部に供給された水を静電霧化する静電霧化装置において、水供給部側から供給される水を受け取る水受け取り部を放電部側に設け、水供給部と水受け取り部とを空間を介して非接触として成ることを特徴とする静電霧化装置。
【請求項２】
先端部が放電部となった水搬送部に水受け取り部を設けて成ることを特徴とする請求項１記載の静電霧化装置。
【請求項３】
放電部に水受け取り部を設けて成ることを特徴とする請求項２記載の静電霧化装置。
【請求項４】
先端部が放電部となった水搬送部に水溜め部を接続し、該水溜め部が水供給部側から供給される水を受け取る水受け取り部となっていることを特徴とする請求項１記載の静電霧化装置。
【請求項５】
水受け取り部が多孔質体であることを特徴とする請求項１乃至請求項４のいずれか一項に記載の静電霧化装置。
【請求項６】
水供給部から供給される水を水受け取り部にガイドするためのガイド部を設けて成ることを特徴とする請求項４又は請求項５記載の静電霧化装置。
【請求項７】
水供給部から供給される水の余剰水を回収するための回収部を設けて成ることを特徴とする請求項１乃至請求項６のいずれか一項に記載の静電霧化装置。
【請求項８】
回収部で回収した水を水供給部に戻すための戻し手段を設けて成ることを特徴とする請求項７記載の静電霧化装置。
【請求項９】
水供給部に回収部に設けて回収部付き水供給ユニットを形成し、該回収部付き水供給ユニットを２つ用意して、２つの回収部付き水供給ユニットのうち、一つの回収部付き水供給ユニットを空間を介して水受け取り部の上方に配置すると共に、他の一つの回収部付き水供給ユニットを水受け取り部の下方に空間を介して配置し、上記２つの回収部付き水供給ユニットの配置位置を入れ替え自在として成ることを特徴とする請求項７記載の静電霧化装置。
【発明の詳細な説明】
【技術分野】
【０００１】
本発明は、静電霧化現象によりナノメータサイズのイオンミストを発生させる静電霧化装置に関するものである。
【背景技術】
【０００２】
静電霧化装置とは、先端が放電部となった放電電極（水搬送部）と、放電電極の先端の電極部に対向して位置する対向電極と、放電電極に水を供給する供給手段とを備え、放電電極と対向電極との間に高電圧を印加することで放電電極に保持される水を霧化させてナノメータサイズで強い電荷を持つイオンミスト（以下、これをナノイオンミストという）を発生させるものである（特許文献１、特許文献２、特許文献３参照）。ナノイオンミストの粒径は３〜数十ｎｍ程度であって、人体の角質細胞の大きさである７０ｎｍよりも小さな粒径であるため、広範囲に飛散し、滞留時間が長く、壁面などの内部にも浸透し、高い脱臭効果や殺菌効果を発揮することができ、また、皮膚に対してはナノイオンミストの暴露により角質層表面の奥までも水分が十分に補給されて、高い保湿効果が得られ、また、毛髪の保湿効果等の効果も得られるようになっているので、多様な商品に備えることで多様な効果が得られるものである。
【０００３】
上記特許文献１に示された従来の静電霧化装置は、空気中の水分を冷却して結露水を放電電極に供給するようにしたもので、ペルチェモジュールの冷却部に放電電極の後端部を当接することで、放電電極を冷却し、このように放電電極を冷却することで空気中の水分を結露させることで放電電極に結露水を生成するようになっている。
【０００４】
また、特許文献２に示された従来の静電霧化装置は、ペルチェモジュールの冷却部に冷却板を接続すると共に冷却板に放電電極の後端部を接続し、冷却板を冷却することで空気中の水分を結露させ、冷却板に付着した結露水を冷却板に接続した放電電極に供給するようになっている。
【０００５】
また、特許文献３に示された従来の静電霧化装置は、水の供給手段として、水が充填される水タンクと、水タンク内の水を毛細管現象により先端の放電部に搬送する水搬送部を備えたものである。
【０００６】
上記特許文献１、２にあっては、いずれも、放電電極と水供給手段を構成するペルチェモジュールの冷却部が直接又は冷却板を介して接触しているため、放電電極側から水供給手段を構成するペルチェモジュール側への漏電防止のために放電電極とペルチェモジュールとの絶縁封止が必要となり、装置の小型化に制約があるという問題があり、また、放電電極を、ペルチェモジュールの冷却部に直接又は冷却板を介して接続してあるので、放電電極とペルチェモジュールとの位置固定自由度が低く、機器組み込み設計の自由度が低く、機器の小型化に制約があるという問題がある。
【０００７】
また、特許文献３に示された従来例にあっては、水タンクに水を継続的に補給する必要があるが、この水の補給に当っては、必ず静電霧化装置の運転を停止した状態（つまり、放電電極への高電圧の印加を停止した状態）で行わなければならず、このように静電霧化運転中に水タンクへの水の補給ができないので、きわめて不便である。また、この従来例にあっても、放電電極と水タンクとの位置固定自由度が低く、機器組み込み設計の自由度が低く、機器の小型化に制約があるという問題がある。
【特許文献１】特開２００６−８２６号公報
【特許文献２】特開２００５−１３１５４９号公報
【特許文献３】特開２００４−３５８３６４号公報
【発明の開示】
【発明が解決しようとする課題】
【０００８】
本発明は上記の従来の問題点に鑑みて発明したものであって、放電部側と水供給部側とを完全に電気的に縁をきることができ、また、機器組み込み設計の自由度が可能で機器の小型化が可能となる静電霧化装置を提供することを課題とするものである。
【課題を解決するための手段】
【０００９】
上記課題を解決するために本発明に係る静電霧化装置は、放電部１と、放電部１側に水を供給するための水供給部２と、放電部１に供給された水に高電圧を印加するための高電圧印加手段３とを備えて、高電圧を印加することで放電部１に供給された水を静電霧化する静電霧化装置Ａにおいて、水供給部２側から供給される水を受け取る水受け取り部５を放電部１側に設け、水供給部２と水受け取り部５とを空間６を介して非接触として成ることを特徴とするものである。
【００１０】
このような構成とすることで、放電部１側と水供給部２側とを電気的に縁を切ることができる。したがって、水供給部２がペルチェモジュール１３を用いて空気中の水分を結露させて生成した水を供給するものの場合は、漏電防止のために放電部１とペルチェモジュール１３との絶縁封止を行う必要がなく、また、水供給部２が水タンクの場合、静電霧化装置Ａの運転中であっても、静電霧化装置Ａの運転停止することなく水の補給を安全に行うことができる。また、放電部１側と水供給部２側とが接続してないので、機器組み込み設計の自由度が可能で機器の小型化が可能となる。
【００１１】
また、先端部が放電部１となった水搬送部４に水受け取り部５を設けることが好ましい。
【００１２】
このような構成とすることで、水供給部２から先端部が放電部１となった水搬送部４に空間６を介して水を供給でき、装置の小型化が図れることになる。
【００１３】
また、放電部１に水受け取り部５を設けることが好ましい。
【００１４】
このような構成とすることで、放電部１に空間６を介して水供給部２から水を直接供給でき、放電部１の先端部に直接供給された水を効果的に静電霧化できる。
【００１５】
また、放電部１に水溜め部７を接続し、該水溜め部７が水供給部２側から供給される水を受け取る水受け取り部５となっていることが好ましい。
【００１６】
このような構成とすることで、水供給部２から放電部１に接続した水溜め部７に空間６を介して水を供給でき、水溜め部７に溜めた水を放電部１に継続して安定して供給できて、静電霧化を継続且つ安定してできる。
【００１７】
また、水受け取り部５が多孔質体１２であることが好ましい。
【００１８】
このような構成とすることで、水供給部２から空間６を介して供給された水を多孔質体１２で安定して保水して、放電部１に継続して安定して供給できて、静電霧化を継続且つ安定してできる。
【００１９】
また、水供給部２から供給される水を水受け取り部５にガイドするためのガイド部８を設けることが好ましい。
【００２０】
このような構成とすることで、水供給部２から空間６を介して供給される水をガイド部８でガイドしながら確実に水受け取り部５に供給することができる。
【００２１】
また、水供給部２から供給される水の余剰水を回収するための回収部９を設けることが好ましい。
【００２２】
このような構成とすることで、水供給部２から空間６を介して供給される余剰水を回収部９で回収することができ、水漏れ等を防止できる。
【００２３】
また、回収部９で回収した水を水供給部２に戻すための戻し手段１０を設けることが好ましい。
【００２４】
このような構成とすることで、回収部９で回収した水を再利用することができ、その分、水供給部２がペルチェモジュール１３であるものにおいては、ペルチェモジュール１３の運転時間が少なくでき、また、水供給部２が水タンク２０であるものにおいては、水タンク２０への水の補給から次の水の補給までの時間が長くなる。
【００２５】
また、水供給部２に回収部９に設けて回収部付き水供給ユニット１１を形成し、該回収部付き水供給ユニット１１を２つ用意して、２つの回収部付き水供給ユニット１１のうち、一つの回収部付き水供給ユニット１１を空間６を介して水受け取り部５の上方に配置すると共に、他の一つの回収部付き水供給ユニット１１を水受け取り部５の下方に空間６を介して配置し、上記２つの回収部付き水供給ユニット１１の配置位置を入れ替え自在とすることが好ましい。
【００２６】
このような構成とすることで、回収部付き水供給ユニット１１を２つ用意して、一つの回収部付き水供給ユニット１１で放電部１に水を供給し、他の一つの回収部付き水供給ユニット１１で余剰水を回収し、一定量余浄水が溜まると、配置位置を入れ替えることで、上記と同様に水の供給と回収とを行うことができる。
【発明の効果】
【００２７】
本発明は、上記のように、放電部側に水供給部側から供給される水を受け取る水受け取り部を設け、水供給部と水受け取り部とを空間を介して非接触としてあるので、放電部側と水供給部側とを完全に電気的に縁をきることができて、漏電等の心配がなくて安全であり、また、水供給部と水受け取り部とを空間を介して非接触としてあるので、機器組み込み設計の自由度が可能で機器の小型化が可能となる。
【発明を実施するための最良の形態】
【００２８】
以下、本発明を添付図面に示す実施形態に基いて説明する。
【００２９】
図１乃至図９にはそれぞれ水供給部２が空気中の水分を冷却して生成した結露水を供給するようにした例が示してある。
【００３０】
図中１３はペルチェモジュールであり、図１乃至図５の実施形態ではペルチェモジュール１３の冷却部に接続した冷却板１４が水供給部２を構成している。図中１５はペルチェモジュールの放熱部に接続されるフィンのような放熱部材である。
【００３１】
ペルチェモジュール１３は、熱伝導性の高いアルミナや窒化アルミニウムから成る絶縁板の片面側に回路を形成してある一対のペルチェ回路板を、互いの回路側が向い合うように対向させ、多数列設してあるＢｉＴｅ系の熱電素子を両ペルチェ回路板間で挟持するとともに隣接する熱電素子同士を両側の回路で電気的に接続させ、熱電素子への通電により一方のペルチェ回路板側から他方のペルチェ回路板側に向けて熱が移動するように設けたものであり、上記ペルチェモジュール１３の一方の側が冷却側、他方の側が放熱側となっている。なお、このペルチェモジュール１３は防湿のためにシールしてある方が好ましい。
【００３２】
ペルチェモジュール１３の冷却部と冷却板１４との間には熱伝導性グリース等を介在させて接触熱抵抗を下げてあり、また、ペルチェモジュール１３の放熱部と放熱部材１５との間には熱伝導性グリース等を介在させて接触熱抵抗を下げてある。
【００３３】
冷却板１４はアルミ、銅、又はそれらの合金により形成してあり、防錆処理をおこなうのが好ましい。また、親水処理を行い、結露水を滴下し易くするのが好ましい。
【００３４】
また、放熱部材１５はアルミ、銅、又はそれらの合金により形成してある。
【００３５】
ペルチェモジュール１３に通電すると、冷却板１４が冷やされ、これにより、空気中の水分が冷やされて冷却板１４の表面に結露水が生成するように構成してある。
【００３６】
この水供給部２である冷却板１４に生成した結露水は冷却板１４から重力あるいは他の移動手段により移動して後述の放電部１側に設けた水受け取り部５に水を供給するようになっている。なお、添付図面において矢印イは重力方向を示している。
【００３７】
放電部１側には水受け取り部５が設けてある。図１乃至図５に示す実施形態においては、先端部が放電部１となった水搬送部４自体に水受け取り部５を設けた例であり、図６乃至図８に示す実施形態において、放電部１に水溜め部７を接続し、該水溜め部７が水供給部２側から供給される水を受け取る水受け取り部５となっている例である。
【００３８】
いずれの実施形態においても、水供給部２の下方に空間６を介して先端部が放電部１の水受け取り部５を位置させるようになっている。このように、水供給部２の下方に空間６を介して水受け取り部５を位置させることで、水供給部２と水受け取り部５とは非接触、つまり、電気的に縁が切れた状態となっている。
【００３９】
これらの実施形態においては先端が鋭角に尖った錘状となった棒状の水搬送部４を横向きに配置したものであり、水搬送部４の錘状となった先端が放電部１となっている。この先端部が放電部１となった棒状の水搬送部４は例えば多孔質セラミック、多孔質金属、フェルト等の多孔質体１２で構成してあり、本実施形態では上方に位置する水供給部２から滴下する水を多孔質体１２よりなる水搬送部４で受け取るようになっており、したがって、多孔質体１２よりなる水搬送部４自体が水受け取り部５となっている。
【００４０】
図１の実施形態では、水供給部２である冷却板１４を垂直に設置し、冷却板１４の表面に結露した結露水を重力により表面に沿って流下させて、冷却板１４の下端部から下方に滴下させ、この滴下する水を多孔質体１２よりなる水搬送部４の水受け取り部５である上面部で受け取るようになっている。
【００４１】
また、図２の実施形態では、水供給部２である冷却板１４を横向き（実施例では重力方向に対して垂直）に設置し、冷却板１４の表面に結露した結露水を重力により下方に滴下させ、水供給部２から滴下する水を多孔質体１２よりなる水搬送部４の長手方向の広範な領域の水受け取り部５である上面部で受け取るようになっている。この図２の実施形態は水供給部２における結露水の生成から水受け取り部５への水の供給が早くでき、これにより運転開始から静電霧化の発生開始までに要する時間が短くなる。
【００４２】
また、図３の実施形態では、水供給部２から滴下する水を多孔質体１２よりなる水搬送部４の先端部で受け取るようになっている。このものも、運転開始から静電霧化の発生開始までに要する時間が短くなる。
【００４３】
図１、図２に示す実施形態においては、水受け取り部５で受け取られた水は水搬送部４が多孔質体１２であるため多孔質体１２に保水されると共に毛細管現象により水搬送部４の先端の放電部１に供給される。
【００４４】
また、図３に示す実施形態においては、多孔質体１２よりなる水搬送部４の先端部に供給された水は多孔質体１２の先端の放電部１に供給されると共に水の一部は毛細管現象により多孔質体１２の先端部以外の部位である多孔質体１２の長手方向の中央部や後部にも保水されることになる。
【００４５】
また、図４に示す実施形態においては、横向きとなった棒状の水搬送部４の上面部に長手方向にわたって凹部１６を形成して該凹部１６を水受け取り部５としたもので、水供給部２から滴下する水を空間６を介して凹部１６よりなる水受け取り部５で受け取り、この水受け取り部５で受け取った水を凹部１６を通じて先端部の放電部１に供給するようになっている。この実施形態では水搬送部４が多孔質体でなくてもよい。
【００４６】
また、図５に示す実施形態は、水供給部２である冷却板１４の下端部に集水用のガイド部８を設けた例である。つまり、冷却板１４の表面に結露した結露水が下方に流れ、これをガイド部８でガイドしながらガイド部８の最下端の落下部に流し、落下部から空間６を介して下方に位置する放電部１側に設けた水受け取り部５に滴下するようになっている。
【００４７】
また、図６、図７、図８に示す実施形態においては、放電部１に水溜め部７を接続してあり、この水溜め部７が水供給部２側から供給される水を受け取る水受け取り部５となっている例である。すなわち、実施形態では水溜め部７は上方が開口しており、水供給部２の下方に空間６を介して上記水溜め部７の上開口部が位置するように配置してある。
【００４８】
この図６、図７、図８に示す実施形態においては、水溜め部７に溜まった水を水搬送部４を介して水搬送部４の先端部の放電部１に供給するようになっている。ここで、水搬送部４の後端部を直接水溜め部７に連通接続してもよく、あるいは、水溜め部７と水搬送部４の後端部とを通水用接続部１７を介して連通接続してもよい。また、図６、図７、図８に示す実施形態においては、水搬送部４としては前述の実施形態同様多孔質体１２で構成してもよく、あるいは、後端部から先端部の放電部１にかけて連続する通水孔を形成したものであってもよい。また、通水用接続部１７も多孔質体１２で構成したり、あるいは前後端にかけて連通する通水孔を形成したものであってもよい。
【００４９】
また、図８の実施形態においては、水溜め部７の上開口にガイド部８を設けてある。このガイド部８は一部（実施形態では中央部に）に孔を設けてあって、この孔が最も低くなるように上面部が下り傾斜しており、水供給部２から重力で滴下した水をガイド部８の下り傾斜した上面部で受けて最下端の孔側にガイドして水溜め部７に流すようになっている。図８において８ａは空気抜き孔であって、ガイド部８に設けてある。
【００５０】
また、図７の実施形態においては、水受け取り部５を構成する水溜め部７内に多孔質体１２を充填してあり、多孔質体１２が水供給部２から供給される水を受け取ると同時に保水するようにしており、このように一旦保水した水を水搬送部４を介して水搬送部４の先端部の放電部１に供給するようにしてある。
【００５１】
水搬送部４の先端部に設けた放電部１の先端から一定の距離をおいて対向電極１９が設けてある。また、水搬送部４には高電圧印加板１８が接続してあり、該高電圧印加板１８と対向電極１９とは高電圧印加手段３にそれぞれ高圧リード線を介して接続してあり、高電圧印加手段３から放電部１に供給された水と対向電極１９との間に高電圧が印加されるようになっている。
【００５２】
上記の構成の静電霧化装置は、ペルチェモジュール１３の熱電素子に対して通電を行うと、各熱電素子内において同一方向への熱の移動が生じ、ペルチェモジュール１３の冷却部が冷却されて冷却板１４が冷やされ、これにより、空気中の水分が冷やされて冷却板１４の表面に結露水が生成する。冷却板１４の表面に生成された結露水は、冷却板１４から重力により滴下し、空間６を介して下方に位置する放電部１側に設けた水受け取り部５に供給され、水受け取り部５に供給された水は放電部１に供給される。
【００５３】
このように放電部１に水が供給された状態で、高電圧印加手段３により放電部１に供給された水に負又は正の３〜１０ｋＶ程度の高電圧を印加すると、放電部１に保持される水が帯電し、帯電した水にクーロン力が働き、水の液面が局所的に円錐形状に盛り上がってテイラーコーンが形成され、このテイラーコーンの先端に電荷が集中して電荷の密度が高密度となり、テイラーコーンの先端部分の水が大きなエネルギー（高密度となった電荷の反発力）を受けて表面張力を超えてはじけるようにして水が分裂・飛散（レイリー分裂）を繰り返して静電霧化を行い、活性種（ラジカル）を含むナノメータサイズの帯電微粒子水が発生する。ナノメータサイズの帯電微粒子水は放電部１と対向して位置する対向電極１９に向けて移動し、静電霧化装置の外部へと放出される。
【００５４】
このナノメータサイズの帯電微粒子水はナノメータサイズと極めて小さいために空気中に長時間浮遊すると共に拡散性が高いため、霧化対象空間内の隅々まで浮遊して、霧化対象空間の内面や霧化対象空間内に収納した収納物に付着するものであり、しかも、ナノメータサイズの帯電微粒子水は活性種が水分子に包み込まれるようにして存在するため脱臭効果、カビや菌の除菌や繁殖の抑制効果があり、また、活性種が水分子に包み込まれるようにして存在するナノメータサイズの帯電微粒子水は遊離基単独で存在する場合より寿命が長いため、上記拡散性、脱臭効果、カビや菌の除菌や繁殖の抑制効果がより向上することになる。また、ナノメータサイズの帯電微粒子水は保湿効果があるため、保湿する効果がある。
【００５５】
ところで、本発明においては、水供給部２と、放電部１側に設けた水受け取り部５とを空間６を介して非接触としてあるので、放電部１側と水供給部２側とが電気的に縁を切った状態となり、この結果、水供給部２側に帯電微粒子水を生成するための静電霧化のために印加する高電圧がかからず、したがって、水供給部２側における高電圧によるトラブルが発生しない。したがって、上記実施形態のように、水供給部２がペルチェモジュール１３を用いて空気中の水分を結露させて生成した水を供給するものにおいては、漏電防止のために放電部１とペルチェモジュール１３との絶縁封止を行う必要がない。また、放電部１側と水供給部２側とが接続してなくて非接触であるので、機器組み込み設計の自由度が可能で機器の小型化が可能となる。
【００５６】
なお、上記各実施形態において、水供給部２から供給された水のうち、水受け取り部５で受け取れなかった水は水受け取り部５の下方に空間を介して水を回収する回収部を設けてここで溜めて自然乾燥により乾燥したり、あるいは、ドレインを設けて排出するようにしてもよい。
【００５７】
上記各実施形態において、図９に示すように冷却板１４の下端に先端が尖った三角形をした集水滴下部１４ａを設けると、冷却板１４の表面に生成した結露水を三角形となった集水滴下部１４ａに効果的に集水して下端の尖った部分から効果的に水を滴下できる。
【００５８】
なお、上記各実施形態において、各部材はそれぞれハウジング等に適宜固定される。
【００５９】
次に、図１０乃至図１５に基づいて本発明の他の実施形態につき説明する。この図１０乃至図１５に示す実施形態は、それぞれ水供給部２が水タンク２０により構成してある点において、前述の実施形態と異なるが、他の基本的な構成、作用は同じなので、以下の説明では重複する説明は省略する。
【００６０】
図１０に示すように、先端部が放電部１となった水搬送部４を装着したハウジングに２１に放電部１と対向するように対向電極１９が取付けてある。このハウジング２１の上面部に水供給部２としての水タンク２０が配置してある。水タンク２０の下部には供給管２２が設けてあり、供給管２２の先端である下端が先が細くなっていて、ここから下方に水を重力で滴下するようになっている。
【００６１】
先端部が放電部１となった棒状の水搬送部４は例えば多孔質セラミック、多孔質金属、フェルト等の多孔質体１２で構成してあり、本実施形態では上方に位置する水供給部２でる水タンク２０の供給管２２から滴下する水を多孔質体１２よりなる水搬送部４で受け取るようになっており、したがって、多孔質体１２よりなる水搬送部４自体が水受け取り部５となっている。
【００６２】
この先端部が放電部１となった水搬送部４は上記水タンク２０の供給管２２の下方に空間６を介して配置してあり、両者は空間６を介して非接触の関係となっていて電気的に縁が切れている。
【００６３】
なお、図１０に示す実施形態では、水搬送部４の先端部に水を滴下して受け取るようになっているが、前述の実施形態と同様に水搬送部４の長手方向の中央部や後部にて水を滴下して受け取るようにしてもよい。
【００６４】
ハウジング２１の下面部には上記水タンク２０の下部には上記先端部が放電部１となった水搬送部４の下方に空間を介して回収部９が配置してあり、両者は空間６を介して非接触の関係となっていて電気的に縁が切れている。
【００６５】
本実施形態においては、水タンク２０の水が供給管２２の下端から滴下し、この滴下する水が空間６を介して下方に位置する放電部１側に設けた水受け取り部５に供給され、水受け取り部５に供給された水が放電部１に供給される。
【００６６】
このように放電部１に水が供給された状態で、高電圧印加手段３により放電部１の供給された水に負又は正の３〜１０ｋＶ程度の高電圧を印加することで、前述のように静電霧化がなされて、活性種（ラジカル）を含むナノメータサイズの帯電微粒子水が発生する。ナノメータサイズの帯電微粒子水は放電部１と対向して位置する対向電極１９に向けて移動し、静電霧化装置の外部へと放出される。
【００６７】
供給管２２から供給された水のうち、水受け取り部５で受け取れなかった水（余剰水）は水受け取り部５の下方に空間を介して回収部９で受けられ、ここで溜まって自然乾燥により乾燥するようになっている。もちろん、ドレインを設けて排出するようにしてもよい。更に、回収部９を着脱自在な構成とすることで、回収部９を外して外部に排水するようにしてもよい。
【００６８】
本実施形態においては、水供給部２である水タンク２０の水が少なくなると、水を補給するものである。
【００６９】
図１１には水タンク２０を用いた他の実施形態が示してあり、この実施形態においては、回収部９に水を回収すると共に、回収部９に回収した水を戻し手段１０により水供給部２である水タンク２０に戻すようになっている。すなわち、図１１の実施形態では一端が回収部９に接続され且つ他端が水タンク２０の上方に位置する返送管２３の途中にポンプ２４を設けて戻し手段１０を構成してある。
【００７０】
このように回収部９で回収した水を戻し手段１０により水供給部２に戻すようにすることで、回収部９で回収した水を再利用することができ、その分、水タンクへの水の補給から次の水の補給までの時間が長くなる。なお、この回収部９を設けて戻し手段１０により水供給部２に戻すようにするものは、前述の水供給部２がペルチェモジュール１３の場合にも適用でき、回収した水を冷却板１４の表面に返送するようにすると、ペルチェモジュール１３の運転時間が少なくできる。
【００７１】
また、前述の実施形態においては、重力を利用して水タンク２０の水が供給管２２の下端から滴下するようにした例で説明したが、図１２に示すように、ポンプ３５を用いて水タンク２０の水を供給管２２の先端から先端部が放電部１となった水搬送部４の水受け取り部５に供給するようにしてもよい。この場合は、ポンプ３５により目的とする水量の水を安定して水搬送部４の水受け取り部５に供給することができる。
【００７２】
図１３、図１４には本発明の更に他の実施形態が示してある。この実施形態では、水供給部２である水タンク２０に回収部９を設けた回収部付き水供給ユニット１１を用いた例である。
【００７３】
すなわち、水タンク２０は回収部９を兼用する上方が開口したタンク部２６の下部に内部が嵌め込み突部２７が突設してある。嵌め込み突部２７は内部が中空でゴムボールのような弁２８が内装してあり、該嵌め込み突部２７の上面部にタンク部２６と連通する上孔２９ａを設けると共に嵌め込み突部２７の下面部に下孔２９ｂを設け、更に、嵌め込み突部２７内に設けたばね材３０により弁２８を下方に押付けて弁２８により下孔２９ｂを閉塞している。
【００７４】
またハウジング２１の上面部には供給管２２が嵌挿して装着してあり、該供給管２２の上部は筒状の被嵌め込み部３１となっており、該被嵌め込み部３１内には上向きとなったピン３２が内装してある。供給管２２の下端部の真下に空間６を介して先端部が放電部１となった水搬送部４が配置してある。
【００７５】
また、ハウジング２１の下面部には回収部付き水供給ユニット１１を着脱自在に配置するための着脱取付け部３３が設けてある。
【００７６】
そして、本実施形態においては、回収部付き水供給ユニット１１を２個用意し、一つの回収部付き水供給ユニット１１は嵌め込み突部２７を供給管２２の上部の被嵌め込み部３１に着脱自在に嵌め込み、他の一つの回収部付き水供給ユニット１１は着脱取付け部３３に着脱自在に取付ける。
【００７７】
上記被嵌め込み部３１に着脱自在に嵌め込む方の回収部付き水供給ユニット１１（上に位置する回収部付き水供給ユニット１１）はタンク部２６に水を満水にし、着脱取付け部３３に着脱自在に取付けた回収部付き水供給ユニット１１（下に位置する回収部付き水供給ユニット１１）はタンク部２６を空にしておく。
【００７８】
そして、上に位置する回収部付き水供給ユニット１１の嵌め込み突部２７を被嵌め込み部３１に嵌め込むと、ピン３２が下孔２９ｂを挿通して弁２８をばね材３０に抗して押し上げることで、下孔２９ｂが開放され、タンク部２６内の水が上孔２９ａを、下孔２９ｂを経て供給管２２に供給されて、供給管２２の下端から滴下し、この滴下する水が空間６を介して下方に位置する放電部１側に設けた水受け取り部５に供給し、水受け取り部５に供給された水を放電部１に供給し、高電圧を印加して静電霧化を行う。
【００７９】
この場合、供給管２２から供給された水のうち、水受け取り部５で受け取れなかった水（余剰水）は水受け取り部５の下方に空間を介して下に位置する回収部付き水供給ユニット１１の回収部９を兼用するタンク部２６で受けられて溜められる。
【００８０】
上に位置する回収部付き水供給ユニット１１のタンク部２６内の水が無くなるか又は僅かになると、上に位置する回収部付き水供給ユニット１１、下に位置する回収部付き水供給ユニット１１をそれぞれ取り外し、今まで下に位置していて水を回収した方の回収部付き水供給ユニット１１の嵌め込み突部２７を被嵌め込み部３１に嵌め込み、タンク部２６内の水が無くなるか僅かになった方の回収部付き水供給ユニット１１を着脱取付け部３３に着脱自在に取付ける。
【００８１】
このようにして、上下入れ替えて再び、供給管２２の下端から滴下し、この滴下する水が空間６を介して下方に位置する放電部１側に設けた水受け取り部５に供給され、水受け取り部５に供給された水が放電部１に供給し、高電圧を印加して静電霧化を行う。
【００８２】
このように、回収部付き水供給ユニット１１を２つ用意して、一つの回収部付き水供給ユニット１１で放電部１に水を供給し、他の一つの回収部付き水供給ユニット１１で余剰水を回収し、一定量余浄水が溜まると、配置位置を入れ替えることで、上記と同様に水の供給と回収とを行うことができる。
【００８３】
静電霧化により水が消費されていくが、上記のように回収した水を再使用することで、タンク部２６への水の補給から次の水の補給までの時間が長くなる。
【００８４】
図１５には弁２８の他の例が示してあり、この実施形態では、タンク部２６の底部に孔３６を設け、タンク部２６の底部にねじりコイルばねのようなばね材３０により弁２８を回動自在に取付け、ばね材３０の弾性力で弁２８により孔３６を閉塞してある。そして、上記孔３６を供給管２２の上端部に嵌め込むと供給管２２の上端部で弁２８をばね材３０の弾性力に抗して押し上げ回動することで弁２８が開となって、タンク部２６の水を供給管２２に供給するようになっている。
【００８５】
上記した水供給部２を水タンク２０により構成したものにおいては、水を水タンク２０に補給する必要があるが、上記のように、水供給部２と水受け取り部５とを空間６を介して非接触としてあるので、水タンク２０側と、静電霧化のために高電圧を印加している側とは電気的に縁が切られていることになり、この結果、静電霧化装置Ａの運転中であっても、静電霧化装置Ａの運転停止することなく水タンク２０に水の補給を安全に行うことができる。また、放電部１側と水供給部２側とが接続してないので、機器組み込み設計の自由度が可能で機器の小型化が可能となる。
【００８６】
なお、添付図面において符号Ｗは水を示している。
【００８７】
上記各実施形態では対向電極を設けて静電霧化をする例で説明したが、対向電極を設けないものであってもよい。
【図面の簡単な説明】
【００８８】
【図１】本発明の静電霧化装置の一実施形態の概略構成図である。
【図２】同上の静電霧化装置の他の実施形態の概略構成図である。
【図３】同上の静電霧化装置の更に他の実施形態の概略構成図である。
【図４】（ａ）は同上の静電霧化装置の更に他の実施形態の正面から見た概略構成図であり、（ｂ）は側面断面図である。
【図５】（ａ）は同上の静電霧化装置の更に他の実施形態の正面から見た概略構成図であり、（ｂ）は側面から見た概略構成図である。
【図６】同上の静電霧化装置の更に他の実施形態の概略構成図である。
【図７】同上の静電霧化装置の更に他の実施形態の概略構成図である。
【図８】同上の静電霧化装置の更に他の実施形態の概略構成図である。
【図９】同上に用いる冷却板の他の実施形態の正面図である。
【図１０】本発明の静電霧化装置の他の実施形態の概略構成図である。
【図１１】同上の静電霧化装置の更に他の実施形態の概略構成図である。
【図１２】同上の静電霧化装置の更に他の実施形態の概略構成図である。
【図１３】同上の静電霧化装置の更に他の実施形態の概略構成図である。
【図１４】（ａ）は同上の回収部付き水供給ユニットの嵌め込み突部を被嵌め込み部に嵌め込む前の状態の断面図であり、（ｂ）は回収部付き水供給ユニットの嵌め込み突部を被嵌め込み部に嵌め込んだ状態の断面図である。
【図１５】同上の弁の他の実施形態を示し、（ａ）は弁が閉の状態を示す断面図であり、（ｂ）は弁が開の状態の断面図である。
【符号の説明】
【００８９】
１  放電部
２  水供給部
３  高電圧印加手段
４  静電霧化装置
５  水受け取り部
６  空間
７  水溜め部
８  ガイド部
９  回収部
１０  戻し手段
１１  回収部付き水供給ユニット
１２  多孔質体
【図１】
2009090192.tif 000003
【図２】
2009090192.tif 000004
【図３】
2009090192.tif 000005
【図４】
2009090192.tif 000006
【図５】
2009090192.tif 000007
【図６】
2009090192.tif 000008
【図７】
2009090192.tif 000009
【図８】
2009090192.tif 000010
【図９】
2009090192.tif 000011
【図１０】
2009090192.tif 000012
【図１１】
2009090192.tif 000013
【図１２】
2009090192.tif 000014
【図１３】
2009090192.tif 000015
【図１４】
2009090192.tif 000016
【図１５】
2009090192.tif 000017